(57)【要約】【課題】水栓装置の上面と浴室鏡の下端部とが当接した状態で設置された構造において、浴室鏡の下端部と水栓装置の上面との間に水が入り込んだとしても、この入り込んだ水を効果的に排出することができる水栓装置と浴室鏡との接続構造を提供する。【解決手段】本発明は、水栓装置３と、この水栓装置３の上方に設けられた浴室鏡２とを備え、水栓装置３の上面には、左右方向に沿って上方に突出した突条４２が設けられ、浴室鏡２の前側下端部が、水栓装置３の上面に当接した構造である。水栓装置３は、突条４２の長手方向の一部に設けられ前後に連通する通水開口４３と、その一部が通水開口４３内に設けられ、浴室鏡２の前側下端部に対応する箇所から通水開口４３の後方にまで連続した溝部４５とを備えている。そして、溝部４５は、浴室鏡２の前側下端部と水栓装置３の上面との間を通過した水を、毛細管現象によって後方に向かって吸い込んで排水するものである。【選択図】図１
2014117335.tif 000002
【特許請求の範囲】
【請求項１】
水栓装置と、
この水栓装置の上方に設けられた浴室鏡と
を備え、
前記水栓装置の上面には、左右方向に沿って上方に突出した突条が設けられ、
前記浴室鏡の前側下端部が、前記突条の前方に配置されて後方への位置決めがされた状態で、前記水栓装置の上面に当接している
水栓装置と浴室鏡との接続構造であって、
前記水栓装置は、
前記突条の長手方向の一部に設けられ前後に連通する通水開口と、
その一部が前記通水開口内に設けられ、前記浴室鏡の前側下端部に対応する箇所から前記通水開口の後方にまで連続した溝部と
を備え、
前記溝部は、前記浴室鏡の前側下端部と前記水栓装置の上面との間を通過した水を、毛細管現象によって後方に向かって吸い込んで排水するものである
ことを特徴とする水栓装置と浴室鏡との接続構造。
【請求項２】
前記溝部が、後方に向かうほど深く形成され、且つ平面視において後方に向かうほど左右方向に幅広となるよう形成されたものである
ことを特徴とする請求項１記載の水栓装置と浴室鏡との接続構造。
【請求項３】
前記溝部が、断面Ｖ字状に形成されたものである
ことを特徴とする請求項２記載の水栓装置と浴室鏡との接続構造。
【発明の詳細な説明】
【技術分野】
【０００１】
本発明は、水栓装置と浴室鏡との接続構造に関する。
【背景技術】
【０００２】
特許文献１には従来の水栓装置と浴室鏡との接続構造が開示されている。この特許文献１記載の発明は、混合水栓と、この混合水栓の上方に設けられた防曇鏡とを備えている。この防曇鏡の下端部は、混合水栓の上面に当接している。
【０００３】
ところで、この種の混合水栓と防曇鏡との接続構造は、混合水栓の上面に左右方向に沿って上方に突出した突条が設けられる場合がある。この突条は、防曇鏡の後方側に設けられ、これにより、防曇鏡の下端部を少なくとも後方側に移動しないよう位置決めするものである。
【先行技術文献】
【特許文献】
【０００４】
【特許文献１】特開２０１０−２２７２７２号公報
【発明の概要】
【発明が解決しようとする課題】
【０００５】
ところで、従来の混合水栓と防曇鏡との接続構造のように、防曇鏡の下端部が混合水栓の上面に当接していると、混合水栓の上面に水が付着した場合には、防曇鏡の下端部と混合水栓の上面との間の僅かな隙間に水が入り込んでしまうことがある。この僅かな隙間に水が入り込んでしまうと、防曇鏡の後方には突条が突出しているため、入り込んだ水が抜けにくいという問題がある。
【０００６】
本発明は、上記事情に鑑みてなされたものであり、その目的とするところは、水栓装置の上面と浴室鏡の下端部とが当接した状態で設置された構造において、浴室鏡の下端部と水栓装置の上面との間に水が入り込んだとしても、入り込んだ水を効果的に排出することができる水栓装置と浴室鏡との接続構造を提供することにある。
【課題を解決するための手段】
【０００７】
本発明の水栓装置と浴室鏡との接続構造は、水栓装置と、この水栓装置の上方に設けられた浴室鏡とを備え、前記水栓装置の上面には、左右方向に沿って上方に突出した突条が設けられ、前記浴室鏡の前側下端部が、前記突条の前方に配置されて後方への位置決めがされた状態で、前記水栓装置の上面に当接している水栓装置と浴室鏡との接続構造であって、前記水栓装置は、前記突条の長手方向の一部に設けられ前後に連通する通水開口と、その一部が前記通水開口内に設けられ、前記浴室鏡の前側下端部に対応する箇所から前記通水開口の後方にまで連続した溝部とを備え、前記溝部は、前記浴室鏡の前側下端部と前記水栓装置の上面との間を通過した水を、毛細管現象によって後方に向かって吸い込んで排水するものであることを特徴とする。
【０００８】
またこの水栓装置と浴室鏡との接続構造において、前記溝部が、後方に向かうほど深く形成され、且つ平面視において後方に向かうほど左右方向に幅広となるよう形成されたものであることが好ましい。
【０００９】
またこの水栓装置と浴室鏡との接続構造において、前記溝部が、断面Ｖ字状に形成されたものであることが好ましい。
【発明の効果】
【００１０】
本発明の水栓装置と浴室鏡との接続構造によれば、水栓装置の上面と浴室鏡の下端部が当接した状態で設置された構造において、浴室鏡の下端部と水栓装置の上面との間に水が入り込んだとしても、この入り込んだ水を効果的に排出することができる。
【図面の簡単な説明】
【００１１】
【図１】本実施形態の水栓装置と浴室鏡との接続構造を示す斜視図である。
【図２】本実施形態の浴室鏡装置の全体を示す斜視図である。
【図３】本実施形態の浴室鏡を示す斜視図である。
【図４】本実施形態の浴室鏡の前面下端部の近傍を示す斜視図であり、前カバーを透過した図である。
【図５】本実施形態の水栓装置と浴室鏡との接続部分を示す要部断面図である。
【図６】本実施形態の水栓装置を示す斜視図である。
【図７】本実施形態の水栓装置を示す斜視図であり、浴室鏡の前カバーを取り外した状態を示している。
【図８】本実施形態の水栓装置の要部斜視図である。
【図９】本実施形態の上部カバーを下方から見た斜視図である。
【図１０】本実施形態の水栓装置と浴室鏡との接続部分を示す斜視図であり、上部カバーを透過した図である。
【図１１】本実施形態の水栓装置を下方から見た斜視図である。
【図１２】本実施形態の水栓装置の上部カバーを取り外した状態の平面図である。
【発明を実施するための形態】
【００１２】
以下、本発明の実施形態について添付図面に基づいて説明する。
【００１３】
本実施形態の水栓装置３と浴室鏡２との接続構造は、図２に示すように、浴室鏡装置１に適用されている。浴室鏡装置１は、浴室鏡２と、水栓装置３と、浴室カウンター８とを備えており、これらが一体となって構成されている。浴室鏡装置１は、浴室鏡２と、水栓装置３と、浴室カウンター８とが上下方向に連続的に配置されている。浴室鏡装置１は、浴室の壁面に固定される。
【００１４】
浴室鏡２は、図３に示すように、前面に鏡面を有している。浴室鏡２は、いわゆる防曇鏡により構成されている。浴室鏡２は、幅と長さと厚さとを有しており、正面視矩形状をしている。浴室鏡２の長さは、上下方向に平行となっている。浴室鏡２の幅は、左右方向に平行となっている。浴室鏡２の厚さは、前後方向に平行となっている。浴室鏡２は、水栓装置３の上方に配置されている。浴室鏡２は、図３に示すように、鏡面板２１と、枠体部２２と、配管部２５と、シャワー管取付部２６とを備えている。
【００１５】
鏡面板２１は、長さと幅とを有しており、正面視略矩形板状に形成されている。鏡面板２１は、前面が鏡面となっている。鏡面板２１は、枠体部２２に嵌め込まれて固定されている。
【００１６】
枠体部２２は、正面視矩形枠状に形成されている。枠体部２２は、鏡面板２１の外周縁に固定される。枠体部２２は、鏡面板２１の左右方向の外側および鏡面板２１の上方に配置される外枠体２３と、鏡面板２１の下方に取り付けられる前カバー２４とを備えている。
【００１７】
外枠体２３は、浴室鏡２の側面を構成する縁材である。外枠体２３は、前後方向に幅を有している。鏡面板２１の左右方向の両側に位置する外枠体２３は、上下方向に長さを有している。また、鏡面板２１の上方に位置する外枠体２３は、左右方向に長さを有している。
【００１８】
前カバー２４は、鏡面板２１と水栓装置３との間の開口を覆うよう取り付けられる。鏡面板２１と水栓装置３との間の開口は、水栓装置３の配管等を点検する点検口を構成する。つまり、前カバー２４は点検カバーを構成する。前カバー２４は、図４に示すように、前面部２４１と、前面部２４１の下端部に設けられた第一係止片２４２と、前面部２４１の上下方向の中間に設けられた第二係止片２４３とを有している。なお、図４において、前カバー２４は、説明のために、透過した状態で記載されている。
【００１９】
前面部２４１は、上下方向に幅を有し、左右方向に長さを有し、正面視矩形状をしている。前面部２４１の長さは、鏡面板２１の幅と略同じ大きさに形成されている。また、前面部２４１は、点検口を前方から覆う。前面部２４１は、鏡面板２１の下方に配置され、すなわち、浴室鏡２の前側下端部を構成する。
【００２０】
第一係止片２４２は、図５に示すように、前面部２４１の後面の下端部に設けられている。第一係止片２４２は、逆Ｌ字状に形成されている。第一係止片２４２は、後述の水栓装置３の突条４２の後方側に位置する。つまり、前カバー２４が所定の位置に設置されると、前面部２４１が突条４２の前方に配置され、第一係止片２４２が突条４２の後方に配置され、これにより、前面部２４１が前後方向に位置決めされる。
【００２１】
第二係止片２４３は、図４に示すように、前面部２４１の後面の上下方向の中間位置に設けられている。第二係止片２４３は、逆Ｌ字状に形成されている。第二係止片２４３は、前面部２４１の長さ方向の両端に設けられている。また、外枠体２３の第二係止片２４３に対応する箇所には、被係止部２７が設けられている。第二係止片２４３は、被係止部２７の上方から差し込まれる。これにより、第二係止片２４３は、被係止部２７に係止され、上下方向および前後方向に係止される。
【００２２】
浴室鏡２の内部には、図３に示すように、配管部２５が内装されている。配管部２５は、鏡面板２１の後面に当接または近接対向する。配管部２５の上流側は、水栓装置３に連通接続されている。また配管部２５の下流側は、シャワー管取付部２６に連通接続されている。配管部２５は、左右方向に折り返されている。配管部２５に湯が流通すると、配管部２５は、鏡面に一定の防曇領域を形成する。
【００２３】
シャワー管取付部２６は、枠体部２２の側面に設けられている。シャワー管取付部２６は、枠体部２２の上下方向の略中間部分に設けられている。シャワー管取付部２６は、水平軸廻りに回転自在となっている。シャワー管取付部２６は、浴室鏡２の内部の配管部２５を介して、水栓装置３のシャワー吐出口５５（図１２参照）に連通接続されている。シャワー管取付部２６には、シャワーホース（図示せず）が取り付けられる。
【００２４】
水栓装置３は、湯温調整部５０を有する湯水混合水栓により構成されている。水栓装置３は、給湯管９１と、給水管９２とに連通接続されている（図１２参照）。水栓装置３は、図６に示すように、水栓本体部４と、操作部７とを備えている。
【００２５】
水栓本体部４は、給湯管９１と給水管９２とから供給された湯水を混合して、その混合した湯水を、シャワー吐出口５５およびカラン吐出口５４のうちのいずれか一方または両方から吐出させる。水栓本体部４は、ケーシング部４０と、シャワー用弁部５３と、カラン用弁部５２と、湯温調整部５０と、シャワー吐出口５５と、カラン吐出口５４とを備えている。
【００２６】
ケーシング部４０は、図６に示すように、水栓装置３の外郭を形成する。ケーシング部４０は、上面と、側面と、下面とを有し、前後方向に開口した箱形状をしている。ケーシング部４０の前方の開口には操作部７が取り付けられ、後方の開口を通過して給湯管９１および給水管９２が配管される。ケーシング部４０は、上部カバー４１と、内側カバー４７と、下部カバー４８とを備えている。
【００２７】
上部カバー４１は、図７に示すように、水栓装置３の上面および側面を構成する。上部カバー４１は、平坦部４１１と、平坦部４１１の前端から延出する傾斜面部４１２と、平坦部４１１の左右方向の両端部から下方に向かって延出する側面部４１３とを備えている。傾斜面部４１２は、平坦部４１１の前端から前方に向かうほど下方に位置するよう傾斜している。
【００２８】
上部カバー４１の平坦部４１１は、前後方向に幅を有し、左右方向に長さを有している。平坦部４１１は、平坦な面により構成されている。平坦部４１１は、水平面となっている。平坦部４１１の後方側の端部には、上方に向かって突出する突条４２が形成されている。突条４２は、左右方向に沿って（長手方向が左右方向に平行となるようにして）設けられている。言い換えると、突条４２は、水栓装置３の上面に、左右方向に沿って上方に突出している。
【００２９】
突条４２の長手方向の一部には、通水開口４３が設けられている。通水開口４３は、突条４２の長手方向に部分的に複数箇所（本実施形態では４箇所）に設けられている。通水開口４３間のピッチは、左右方向の中央に向かうほど小さく形成されている。
【００３０】
具体的には、左右方向の中央に設けられた一対の通水開口４３間の距離は、４０ｍｍ程度に形成される。また、最も左側の通水開口４３と、その直ぐ隣の通水開口４３との間の距離は、６０ｍｍ程度に形成される。また、最も右側の通水開口４３と、その直ぐ隣の通水開口４３との間の距離は、６０ｍｍ程度に形成される。
【００３１】
通水開口４３は、突条４２の前方側の空間と、突条４２の後方側の空間とを連通する。言い換えると、通水開口４３は、前後方向に連通している。通水開口４３の底面は、平坦部４１１と略同じレベルか又はそれよりも低く形成されている。
【００３２】
また、平坦部４１１の後方側の端部には、図８に示すように、通水開口４３に対応する部位に、傾斜部４４が設けられている。傾斜部４４は、後方側に向かうほど、下方に位置するよう傾斜している。傾斜部４４は、通水開口４３の底面に連続して設けられている。傾斜部４４の勾配は、例えば、平坦部４１１の上面に対して、約２°の下り勾配として形成されている。
【００３３】
また、平坦部４１１の後方側の端部には、溝部４５が設けられている。溝部４５は、前後方向に長さを有している。溝部４５の前方側の端部は、通水開口４３の底面に位置している。また、溝部４５の後方側の端部は、平坦部４１１の後端縁に設けられ、これにより、後方に開口している。言い換えると、溝部４５は、その一部が通水開口４３内に設けられており、通水開口４３の底面（つまり、浴室鏡２の前側下端部が位置する部位）から通水開口４３の後方にまで連続している。
【００３４】
また、溝部４５は、左右方向の中央ほど下方に位置しており、これにより、断面Ｖ字状（前後方向に直角な断面）に形成されている。溝部４５は、平面視においてもＶ字状に形成されている。すなわち、溝部４５は、後方側に向かうほど深く形成されており、且つ、平面視において、後方側に向かうほど、左右方向に幅広となるよう形成されている。
【００３５】
水栓装置３の上方に浴室鏡２の前カバー２４が配置されると、図５に示すように、突条４２の前方に前面部２４１が配置される。言い換えると、浴室鏡２の前側下端部が、突条４２の前方に配置されて後方への位置決めがされた状態で、水栓装置３の上面に当接する。このとき、溝部４５の前方側の端部は、前カバー２４の下方に配置される。より詳しくは、溝部４５の前方側の端部は、前カバー２４の前面部２４１の裏面と略同位置に配置され、この前面部２４１の表面よりも前方に、はみ出さないように設けられている。
【００３６】
ユーザーが水栓装置３を使用すると、図１に示すように、平坦部４１１の上面に水が付着して、前カバー２４と水栓装置３との間の僅かな隙間に水が入り込む場合がある。すると、前カバー２４と水栓装置３との間の隙間に入り込んだ水は、表面張力により、前カバー２４の下端面と平坦部４１１の上面との間に保持される。
【００３７】
前カバー２４の下端面と平坦部４１１の上面との間に保持された水は、溝部４５により、毛細管現象の作用を利用して後方側に吸い込まれる。つまり、溝部４５は、前カバー２４の下端面と平坦部４１１の上面との間に保持された水を、毛細管現象の作用によって、後方に向かって吸い込む。これにより、平坦部４１１の上面に水が付着して、前カバー２４と水栓装置３との間の僅かな隙間に入り込んだ水は、水栓装置３内に取り込まれる。
【００３８】
水栓装置３内に取り込まれた水は、内側カバー４７上を前方に向かって流通して（図１０参照）、下部カバー４８の排水口４８１を通って下方に排出される（図１１参照）。内側カバー４７と上部カバー４１との間には一定の隙間が形成され、この隙間を水が流通する。上部カバー４１の裏側には、この一定の隙間を形成するためのリブ部４６が設けられている。
【００３９】
上部カバー４１の裏側には、図９に示すように、リブ部４６が設けられている。リブ部４６は、左右方向に長さを有する横リブ４６１と、前後方向に長さを有する縦リブ４６２とを有している。横リブ４６１の上下方向の長さは、縦リブ４６２の上下方向の長さよりも大きく形成されている。横リブ４６１は、前後方向に複数並設されている。また、縦リブ４６２は、左右方向に複数並設されている。横リブ４６１の下端は、図５に示すように、内側カバー４７の上面に当接する。これにより、横リブ４６１は、内側カバー４７と上部カバー４１との間に一定の隙間を形成する。また、横リブ４６１の長手方向の一部には、図９に示すように、切欠部４６３が形成されている。切欠部４６３は、内部カバー４７上に上部カバー４１が設置された状態で、前後方向に開口している。
【００４０】
内側カバー４７は、図５に示すように、上部カバー４１の下方に配置される。内側カバー４７は、平板状に形成されている。内側カバー４７は、前後方向に幅を有し、左右方向に長さを有している。内側カバー４７の後端は、上部カバー４１の平坦部４１１の後端よりも後方に位置している。また、内側カバー４７の前端は、平面視で下部カバー４８の後端よりも前方に位置している。これにより、内側カバー４７は、上部カバー４１から流下した水を、下部カバー４８に導水する。
【００４１】
なお、内側カバー４７は、略水平面により構成されているが、前方に向かうほど下方に位置するよう傾斜していてもよい。
【００４２】
下部カバー４８は、水栓装置３の下面を構成する。下部カバー４８は、前後方向に幅を有し、左右方向に長さを有している。下部カバー４８の後端は、平面視で内側カバー４７の前端よりも後方に位置している。下部カバー４８には、図１１に示すように、排水口４８１が形成されている。排水口４８１は、下部カバー４８が所定の位置に設置された状態では、下方に向かって開口する。排水口４８１は、左右方向に長く形成されたスリット状の開口により構成されている。
【００４３】
上部カバー４１と浴室鏡２の前カバー２４との間から吸い込まれた水は、溝部４５を通って内側カバー４７上に落下する。内側カバー４７上に落下した水は、図１０に示すように、上部カバー４１の横リブ４６１に形成された切欠部４６３を通って前方に向かって流通する。内側カバー４７上を前方に向かって流通した水は、内側カバー４７の前端に導水され、下部カバー４８上に流下する。下部カバー４８に流下した水は、図１１に示すように、排水口４８１を介して、水栓装置３外へ排出される。
【００４４】
水栓装置３には、図１２に示すように、湯温調整部５０と、カラン用弁部５２と、シャワー用弁部５３とが内装されている。湯温調整部５０・カラン用弁部５２・シャワー用弁部５３は、下部カバー４８と操作部７との間に配置されている。
【００４５】
湯温調整部５０には、給湯管９１と給水管９２とが接続されている。湯温調整部５０は、給湯管９１から供給された湯と、給水管９２から供給された水とを混合して、ユーザーの所望の温度に湯温を調整する。具体的に、湯温調整部５０は、給湯管９１から供給された湯と、給水管９２から供給された水との混合割合を変えて、湯温を調整する。湯温調整部５０は、この混合した湯水を、接続管９３を介して、シリンダー部５１に供給する。シリンダー部５１には、カラン用弁部５２およびシャワー用弁部５３が内装されている。
【００４６】
シリンダー部５１には、カラン用弁部５２と、シャワー用弁部５３と、カラン吐出口５４と、シャワー吐出口５５とが設けられている。カラン吐出口５４は、シリンダー部５１の内部に連通している。カラン吐出口５４は、下部カバー４８の下面から下方に突出している。カラン用弁部５２は、カラン吐出口５４に連通する流路を開閉する。カラン用弁部５２を開放すると、カラン吐出口５４は、シリンダー部５１内部の湯水を吐出する。カラン用弁部５２を閉止すると、カラン吐出口５４は、吐出中の湯水を止水する。
【００４７】
また、シャワー吐出口５５は、後方に向かって開口している。シャワー吐出口５５は、接続管９４を介して、浴室鏡２内部の配管部２５に連通している。シャワー用弁部５３は、シャワー吐出口５５を開閉する。シャワー用弁部５３を開放すると、シャワー吐出口５５は、シリンダー部５１内部の湯水を吐出する。
【００４８】
シリンダー部５１は、下部カバー４８と操作部７との間に配置されている。つまり、シリンダー部５１は、ケーシング部４０の内部に設けられている。シリンダー部５１は、左右方向に軸芯を有しており、左右方向に平行な方向に長さを有している。シリンダー部５１の内部には、カラン用弁部５２と、シャワー用弁部５３とが、シリンダー部５１の軸方向に沿って並設されている。カラン用弁部５２は、回動弁により構成されている。また、シャワー用弁部５３は、回動弁により構成されている。これらの回動弁は、操作部に連結されている。これらの回動弁は、各操作部が、シリンダー部５１の軸廻りに（つまり、上下方向に）回動操作されることで開閉する。
【００４９】
操作部７は、図２等に示すように、湯温調整部５０を操作する湯温操作部７１と、シャワーの吐水／止水を切り換えるシャワー操作部７２と、カランの吐水／止水を切り換えるカラン操作部７３とを備えている。湯温操作部７１と、シャワー操作部７２と、カラン操作部７３とは、左右方向に並設されている。湯温操作部７１と、シャワー操作部７２と、カラン操作部７３とは、止水状態において左右方向に連続している。特に、湯温操作部７１の上面と、シャワー操作部７２の上面と、カラン操作部７３の上面とは、止水状態において面一に形成されており、また、全体として水平面となっている。
【００５０】
湯温操作部７１は、ケーシング部４０の前部から前方に向かって突出している。湯温操作部７１は、湯温調整部５０に連結されており、左右軸廻りに（つまり、上下方向に）回動可能に構成されている。湯温操作部７１は、左右軸廻りに回動すると、湯温調整部５０における湯と水との混合割合を変化させる。なお、湯温操作部７１は、その上面が水平となると、約４０℃の湯温がシリンダー部５１に送られるように設定されている。
【００５１】
カラン操作部７３は、ケーシング部４０の前部から前方に向かって突出している。カラン操作部７３は、カラン用弁部５２に連結されており、左右軸廻りに（つまり、上下方向に）回動可能に構成されている。カラン操作部７３は、左右軸廻りに回動すると、カラン用弁部５２を開閉させる。
【００５２】
シャワー操作部７２は、ケーシング部４０の前部から前方に向かって突出している。シャワー操作部７２は、シャワー用弁部５３に連結されており、左右軸廻りに（つまり、上下方向に）回動可能に構成されている。シャワー操作部７２は、左右軸廻りに回動すると、シャワー用弁部５３を開閉させる。
【００５３】
水栓装置３の下方には、図２に示すように、浴室カウンター８が設けられている。浴室カウンター８には、例えば、風呂桶などが載置される。ユーザーは、浴室カウンター８上に風呂桶を載置し、カラン操作部７３を操作することで、カラン吐出口５４から吐出される湯水を風呂桶に貯留することができる。
【００５４】
以上説明したように、本実施形態の水栓装置３と浴室鏡２との接続構造は、水栓装置３と、浴室鏡２とを備えている。浴室鏡２は、水栓装置３の上方に設けられている。また、水栓装置３の上面には、左右方向に沿って上方に突出した突条４２が設けられている。浴室鏡２の前側下端部は、突条４２の前方に配置されて後方への位置決めがされた状態で、水栓装置３の上面に当接している。水栓装置３は、通水開口４３と、溝部４５とを備えている。通水開口４３は、突条４２の長手方向の一部に設けられており、また、前後に連通する。溝部４５の一部は、通水開口４３内に設けられている。また、溝部４５は、浴室鏡２の前側下端部に対応する箇所から前記通水開口４３の後方にまで連続している。そして、溝部４５は、浴室鏡２の前側下端部と水栓装置３の上面との間を通過した水を、毛細管現象によって後方に向かって吸い込んで排水するものである。
【００５５】
このため、本実施形態の水栓装置３と浴室鏡２との接続構造は、水栓装置３と浴室鏡２との間に水が付着した場合であっても、水栓装置３と浴室鏡２との間の隙間に水が溜まるのを防ぐことができる。通常、水栓装置３の上面と浴室鏡２の下端部とでなすコーナー部分（入隅部）には、止水材などが配設されておらず、表面張力により水が保持されやすい。これに対し、本実施形態の水栓装置３と浴室鏡２との接続構造は、毛細管現象を生じさせる大きさの溝部４５が、浴室鏡２の前側下端部に対応する箇所から通水開口４３の後方にまで連続している。このため、水栓装置３と浴室鏡２との接続構造によれば、水栓装置３の上面と浴室鏡２の下端部との間に保持された水を、後方に向かって吸い出すことができる。
【００５６】
また、本実施形態の溝部４５は、後方に向かうほど深く形成され、且つ、平面視において後方に向かうほど左右方向に幅広となるよう形成されたものである
このため、溝部４５の前方側の端部から吸い込んだ水は、溝部４５内に保持されたままとはならず、自重により、後方側に移動して排水される。これにより、水栓装置３の上面と浴室鏡２の下端部との間に入り込んだ水を、効果的に排水することができる。
【００５７】
また、本実施形態の溝部４５は、断面Ｖ字状に形成されたものである。
【００５８】
このため、本実施形態の水栓装置３と浴室鏡２との接続構造によれば、簡単な構造で、水栓装置３の上面と浴室鏡２の下端部との間に入り込んだ水を、効果的に排水することができる。
【００５９】
また、本実施形態の通水開口４３および溝部４５は、複数設けられている。通水開口４３および溝部４５は、左右方向の中央側ほど、隣り合う通水開口４３および溝部４５同士の間隔が短くなるよう形成されている。
【００６０】
このため、水栓装置３の水の溜まり易い左右方向の中央ほど、効果的に排水することができ、水栓装置３の上面や、水栓装置３と浴室鏡２とのコーナー部分に水が溜まるのを効果的に防ぐことができる。
【００６１】
なお、本実施形態の水栓装置３と浴室鏡２との接続構造は、溝部４５により吸い込んだ湯水が、上部カバー４１と内側カバー４７との間・下部カバー４８の排水口４８１と順に流通して排水されるものである。しかしながら、本発明の水栓装置と浴室鏡との接続構造によれば、溝部により吸い込んだ湯水は、直接、浴室の床に落下するものであってもよい。
【００６２】
また、本実施形態の浴室鏡装置１には、浴室カウンター８が設けられていたが、本発明の水栓装置と浴室鏡との接続構造には、浴室カウンター８はなくてもよい。
【００６３】
なお、本発明の水栓装置と浴室鏡との接続構造は、本実施形態にのみ限定されるものではなく、要旨を逸脱しない範囲内で適宜変更して実施し得るものである。
【符号の説明】
【００６４】
１      浴室鏡装置
２      浴室鏡
２１    鏡面板
２２    枠体部
２３    外枠体
２４    前カバー
２４１  前面部
２５    配管部
２６    シャワー管取付部
３      水栓装置
４      水栓本体部
４０    ケーシング部
４１    上部カバー
４１１  平坦部
４２    突条
４３    通水開口
４５    溝部
４７    内側カバー
４８    下部カバー
４８１  排水口
５０      湯温調整部
７      操作部
７１    湯温操作部
７２    シャワー操作部
７３    カラン操作部
【図１】
2014117335.tif 000003
【図２】
2014117335.tif 000004
【図３】
2014117335.tif 000005
【図４】
2014117335.tif 000006
【図５】
2014117335.tif 000007
【図６】
2014117335.tif 000008
【図７】
2014117335.tif 000009
【図８】
2014117335.tif 000010
【図９】
2014117335.tif 000011
【図１０】
2014117335.tif 000012
【図１１】
2014117335.tif 000013
【図１２】
2014117335.tif 000014